(57)【要約】【課題】個人の関心または問題意識に応じて着目すべき対象のみを選択的に抽出し、抽出した情報間の関係を参照または整理することが可能な情報可視化装置、方法およびプログラムを提供する。【解決手段】特徴抽出部４は全情報要素の情報内容から特徴を抽出し、頻度ベクトル演算部５は情報要素の特徴に基づいて情報要素毎に頻度ベクトルを演算し、関係性重み演算部６は全情報要素から任意の１つの情報要素を選び、選ばれた情報要素と当該情報要素以外の情報要素との間の関係の組み合わせ全てに対する関係性の重みを演算し、表示配置設定部８は関係性の重みを表示部１１の表示領域の大きさに合わせて正規化し、正規化した関係性の重みに基づいて表示部１１に表示する情報の表示配置を設定し、設定した表示配置を表示配置記憶部９に保存し、表示制御部２は表示配置に基づいて表示部１１に情報を表示する。【選択図】  図１
2004246709.tif 000002
【特許請求の範囲】
【請求項１】
相互に関係する複数の情報を表示手段に表示する情報可視化装置において、
前記情報に対して属性値を付与する属性値付与手段と、
前記情報の内容から特徴を抽出し、該抽出した特徴に基づいて該情報間の関係性の重みを演算する関係性重み演算手段と、
前記関係性重み演算手段で演算した関係性の重みに基づいて前記表示手段における前記情報の表示配置を設定する表示配置設定手段と、
前記表示配置設定手段で設定した表示配置に基づいて前記表示手段に前記情報を表示する情報表示制御手段と、
前記情報に関する指定を受け付ける指定受付手段と
を具備し、
前記情報表示制御手段は、
前記指定受付手段により属性値の指定を受け付けた場合、該属性値を保持する情報を前記表示手段に表示する
ことを特徴とする情報可視化装置。
【請求項２】
前記表示配置設定手段は、
前記指定受付手段により前記情報の表示配置の指定を受け付けた場合、前記指定に基づいて該情報の表示配置を設定し、該設定した表示配置と前記関係性の重みとに基づいて該情報以外の情報の表示配置を設定する
ことを特徴とする請求項１記載の情報可視化装置。
【請求項３】
前記情報表示制御手段は、
前記指定受付手段により複数の属性値の指定を受け付けた場合、該受け付けた複数の属性値を少なくとも１つ保持する情報を表示する
ことを特徴とする請求項１記載の情報可視化装置。
【請求項４】
前記情報表示制御手段は、
前記指定受付手段により第１の属性値および第２の属性値の指定を受け付けた場合、該第１の属性値を保持する第１の情報と、該第２の属性値とを保持する第２の情報とを合成して表示する
ことを特徴とする請求項３記載の情報可視化装置。
【請求項５】
相互に関係する複数の情報を表示手段に表示する情報可視化方法において、
前記情報の内容から特徴を抽出し、
該抽出した特徴に基づいて該情報間の関係性の重みを演算し、
該演算した関係性の重みに基づいて前記表示手段における前記情報の表示配置を設定し、
該設定した表示配置に基づいて前記表示手段に前記情報を表示し、
前記情報に対して付与された属性値の指定を受け付けた場合、該属性値を保持する情報を前記表示手段に表示する
ことを特徴とする情報可視化方法。
【請求項６】
前記情報の表示配置の指定を受け付けた場合、該指定に基づいて該情報の表示配置を設定し、
該設定した表示配置と前記関係性の重みとに基づき、該情報以外の情報の表示配置を設定する
ことを特徴とする請求項５記載の情報可視化方法。
【請求項７】
複数の属性値の指定を受け付けた場合、該受け付けた複数の属性値を少なくとも１つ保持する情報を表示する
ことを特徴とする請求項５記載の情報可視化方法。
【請求項８】
第１の属性値および第２の属性値の指定を受け付けた場合、該第１の属性値を保持する第１の情報と、該第２の属性値とを保持する第２の情報とを合成して表示する
ことを特徴とする請求項７記載の情報可視化方法。
【請求項９】
相互に関係する複数の情報を表示手段に表示する情報可視化プログラムにおいて、
前記情報に対して属性値を付与する処理と、
前記情報の内容から特徴を抽出し、該抽出した特徴に基づいて該情報間の関係性の重みを演算する処理と、
該演算した関係性の重みに基づいて前記表示手段における前記情報の表示配置を設定する処理と、
該設定した表示配置に基づいて前記表示手段に前記情報を表示する処理と、
属性値の指定を受け付けた場合、該属性値を保持する情報を前記表示手段に表示する処理と
をコンピュータに動作させることを特徴とする情報可視化プログラム。
【請求項１０】
前記情報の表示配置の指定を受け付けた場合、該指定に基づいて該情報の表示配置を設定する処理と、
該設定した表示配置と前記関係性の重みとに基づき、該情報以外の情報の表示配置を設定する処理と、
をコンピュータに動作させることを特徴とする請求項９記載の情報可視化プログラム。
【請求項１１】
複数の属性値の指定を受け付けた場合、該受け付けた複数の属性値を少なくとも１つ保持する情報を表示する処理
をコンピュータに動作させることを特徴とする請求項９記載の情報可視化プログラム。
【請求項１２】
第１の属性値および第２の属性値の指定を受け付けた場合、該第１の属性値を保持する第１の情報と、該第２の属性値とを保持する第２の情報とを合成して表示する処理
をコンピュータに動作させることを特徴とする請求項１１記載の情報可視化プログラム。
【発明の詳細な説明】
【０００１】
【発明の属する技術分野】
本発明は、情報可視化装置、方法およびプログラムに関し、特に、複数種類の要素から構成される情報を表示する際に、複数の情報における情報同士の相関関係を可視化する情報可視化装置、方法およびプログラムに関する。
【０００２】
【従来の技術】
従来、何らかの関係を有する情報をユーザに提示する際に、情報可視化のための技術を適用することで、全体の関係の理解を支援する可視化技法が存在する。このような可視化技法の多くは、相互に関係する情報の要素（以後、情報要素とする）をアイコン（ｉｃｏｎ）等の小さなマークで表現することで、情報の相関関係を可視化して提示するものである。また、このような可視化技法の多くは、計算機による計算結果をユーザに提示するだけではなく、ユーザとの対話的操作を通じてユーザ自身の理解または発見を促進することを目的としている。このため、大量の情報の中から適切な量の情報を提示するための可視化技法は重要であり、様々な工夫がなされている。
【０００３】
例えば、複数の情報における情報要素間の関係１つ１つに重要度を設定し、高い重要度が設定された関係を有する情報は、他の情報と分離して表示することで、設計者が設定した重要度に応じてユーザが表示すべき情報の関係を選択することを可能にしているものがある（例えば、特許文献１参照。）。
【０００４】
また、ある情報要素間の関係のうちで、ユーザが興味を持つものを選択することで、選択した関係でつながれた情報が表示されることで、ユーザの興味に応じて相互に関係する情報をユーザが対話的に参照することが可能な連想的な情報検索装置がある（例えば、特許文献２参照。）。
【０００５】
上記に挙げた可視化技法には、可視化される情報の間には、設計者が「関係を表す量」を予め設定し、その量を可視化することが有意義である、という前提がある。
【０００６】
【特許文献１】
特開平７−１８２５２５号公報
【特許文献２】
特開２００１−１９５４２８号公報
【発明が解決しようとする課題】
しかし、文書または直接対話等の様々な情報源から取得した情報の間の関係は、多様な要因から形成されるものであり、ユーザが複数の情報を整理する場合、ユーザは個人の関心または問題意識に基づいて注目する関係の要因を選択し、選択した要因に応じた情報間の関係を参照することを希望するものの、従来の可視化技法、または特許文献１、特許文献２に記載された可視化技法では、設計者が設定した「関係を表す量」に基づいて情報間の関係を参照するため、ユーザ独自の視点から反映することができない。更に、ユーザ独自の視点を完全に反映させるだけの関係要因を事前に予測することは非常に困難であるため、ユーザは設計者が予め設定した視点でしか情報間の関係を参照することができない。
【０００７】
そこで、本発明は、個人の関心または問題意識に応じて着目すべき対象のみを選択的に抽出し、抽出した情報間の関係を参照または整理することが可能な情報可視化装置、方法およびプログラムを提供することを目的とする。
【０００８】
【課題を解決するための手段】
上記目的を達成するため、請求項１の発明は、相互に関係する複数の情報を表示手段に表示する情報可視化装置において、前記情報に対して属性値を付与する属性値付与手段と、前記情報の内容から特徴を抽出し、該抽出した特徴に基づいて該情報間の関係性の重みを演算する関係性重み演算手段と、前記関係性重み演算手段で演算した関係性の重みに基づいて前記表示手段における前記情報の表示配置を設定する表示配置設定手段と、前記表示配置設定手段で設定した表示配置に基づいて前記表示手段に前記情報を表示する情報表示制御手段と、前記情報に関する指定を受け付ける指定受付手段とを具備し、前記情報表示制御手段は、前記指定受付手段により属性値の指定を受け付けた場合、該属性値を保持する情報を前記表示手段に表示することを特徴とする。
【０００９】
また、請求項２の発明は、請求項１の発明において、前記表示配置設定手段は、前記指定受付手段により前記情報の表示配置の指定を受け付けた場合、前記指定に基づいて該情報の表示配置を設定し、該設定した表示配置と前記関係性の重みとに基づいて該情報以外の情報の表示配置を設定することを特徴とする。
【００１０】
また、請求項３の発明は、請求項１の発明において、前記情報表示制御手段は、前記指定受付手段により複数の属性値の指定を受け付けた場合、該受け付けた複数の属性値を少なくとも１つ保持する情報を表示することを特徴とする。
【００１１】
また、請求項４の発明は、請求項３の発明において、前記情報表示制御手段は、前記指定受付手段により第１の属性値および第２の属性値の指定を受け付けた場合、該第１の属性値を保持する第１の情報と、該第２の属性値とを保持する第２の情報とを合成して表示することを特徴とする。
【００１２】
また、請求項５の発明は、相互に関係する複数の情報を表示手段に表示する情報可視化方法において、前記情報の内容から特徴を抽出し、該抽出した特徴に基づいて該情報間の関係性の重みを演算し、該演算した関係性の重みに基づいて前記表示手段における前記情報の表示配置を設定し、該設定した表示配置に基づいて前記表示手段に前記情報を表示し、前記情報に対して付与された属性値の指定を受け付けた場合、該属性値を保持する情報を前記表示手段に表示することを特徴とする。
【００１３】
また、請求項６の発明は、請求項５の発明において、前記情報の表示配置の指定を受け付けた場合、該指定に基づいて該情報の表示配置を設定し、該設定した表示配置と前記関係性の重みとに基づき、該情報以外の情報の表示配置を設定することを特徴とする。
【００１４】
また、請求項７の発明は、請求項５の発明において、複数の属性値の指定を受け付けた場合、該受け付けた複数の属性値を少なくとも１つ保持する情報を表示することを特徴とする。
【００１５】
また、請求項８の発明は、請求項７の発明において、第１の属性値および第２の属性値の指定を受け付けた場合、該第１の属性値を保持する第１の情報と、該第２の属性値とを保持する第２の情報とを合成して表示することを特徴とする。
【００１６】
また、請求項９の発明は、相互に関係する複数の情報を表示手段に表示する情報可視化プログラムにおいて、前記情報に対して属性値を付与する処理と、前記情報の内容から特徴を抽出し、該抽出した特徴に基づいて該情報間の関係性の重みを演算する処理と、該演算した関係性の重みに基づいて前記表示手段における前記情報の表示配置を設定する処理と、該設定した表示配置に基づいて前記表示手段に前記情報を表示する処理と、属性値の指定を受け付けた場合、該属性値を保持する情報を前記表示手段に表示する処理とをコンピュータに動作させることを特徴とする。
【００１７】
また、請求項１０の発明は、請求項９の発明において、前記情報の表示配置の指定を受け付けた場合、該指定に基づいて該情報の表示配置を設定する処理と、該設定した表示配置と前記関係性の重みとに基づき、該情報以外の情報の表示配置を設定する処理と、をコンピュータに動作させることを特徴とする。
【００１８】
また、請求項１１の発明は、請求項９の発明において、複数の属性値の指定を受け付けた場合、該受け付けた複数の属性値を少なくとも１つ保持する情報を表示する処理をコンピュータに動作させることを特徴とする。
【００１９】
また、請求項１２の発明は、請求項１１の発明において、第１の属性値および第２の属性値の指定を受け付けた場合、該第１の属性値を保持する第１の情報と、該第２の属性値とを保持する第２の情報とを合成して表示する処理をコンピュータに動作させることを特徴とする。
【００２０】
【発明の実施の形態】
以下、本発明に係わる情報可視化装置、方法およびプログラムの実施の形態について添付図面を参照して詳細に説明する。
【００２１】
図１は、本発明に係わる情報可視化装置１の機能的な構成の一例を示すブロック図である。
【００２２】
図１に示すように、情報可視化装置１は、表示制御部２、情報要素記憶部３、特徴抽出部４、頻度ベクトル演算部５、関係性重み演算部６、関係性重み記憶部７、表示配置設定部８、表示配置記憶部９から構成され、入力部１０および表示部１１と接続している。ここで、入力部１０はマウスまたはキーボード等の入力装置から構成されており、ユーザは入力部１０により情報可視化装置に対して指示等することができ、表示部１１はディスプレイ装置等から構成されており、情報等を表示する。なお、入力部１０および表示部１１の構成としては、図１に示すような構成に限定することなく、例えば、入力部１０および表示部１１の機能を兼ね備えたタッチパネル等を用いても適用可能である。
【００２３】
ここで、表示制御部２は、入力部１０からの指示等に基づき、表示部１１における情報の表示制御を行うとともに、各構成部に対して処理の実行等を指示する。
【００２４】
また、情報要素記憶部３は、情報が有する要素（以後、情報要素とする）を保存する。ただし、常に情報要素は情報可視化装置１の内部に保存される必要はなく、例えば、図示しないネットワークを介して外部の記憶装置から取り込む構成でも適用可能である。
【００２５】
また、特徴抽出部４は、情報要素である情報内容からキーワード等の特徴を抽出する。例えば、特徴の抽出として、予め設定したキーワードを情報内容から抽出したり、また、形態素解析ツール等を用いて名詞または動詞のような特定の文法カテゴリに属する言葉を情報内容から抽出する。ここで、特徴抽出部４で抽出した特徴は、個々の特徴の出現頻度の連接として表現することができ、これは多次元空間のベクトルと考えることが可能なので、この多次元空間のベクトルを頻度ベクトルとする。
【００２６】
また、頻度ベクトル演算部５は、特徴抽出部４で抽出した特徴に基づき、全ての情報要素に対する頻度ベクトルを演算する。
【００２７】
また、関係性重み演算部６は、頻度ベクトル演算部５により頻度ベクトルが演算された全ての情報要素から任意の１つの情報要素を選び、選ばれた情報要素と当該情報要素以外の情報要素との間の関係の組み合わせ全てに対する関係性の重みを演算する。ここで、重みの演算は情報要素双方の頻度ベクトルを多次元空間での点の座標と考え、情報要素双方の点の間の距離を演算することである。
【００２８】
また、関係性重み記憶部７は、関係性重み演算部６で演算した関係性の重みを保存する。
【００２９】
また、表示配置設定部８は、関係性重み演算部６で演算した関係性の重みを表示部１１の表示領域の大きさに合わせて正規化し、情報要素間の関係性の重みに基づいて表示部１１に表示する情報の表示配置を設定する。なお、表示配置に際しては、表示領域内に基準位置を設定し、設定した基準位置を原点とする座標系を考え、長さと角度とで表示配置を設定する。そして、長さのパラメータとしては関係性重み演算部６で演算した関係性の重みを用い、角度のパラメータとしては情報要素双方の頻度ベクトルの内積の値を求め、求めた内積の値に基づいて頻度ベクトル間の角度を演算し、演算した角度を用い、また、乱数を用いても適用可能である。
【００３０】
また、表示配置記憶部９は、表示配置設定部８で設定した情報の表示配置を保存する。
【００３１】
次に、情報の表示配置を設定する際に、情報可視化装置１が行う機能的な動作について説明する。
【００３２】
特徴抽出部４は情報要素記憶部３から情報要素を取り出し、取り出した全情報要素の情報内容から特徴を抽出し、抽出した全情報要素の特徴を頻度ベクトル演算部５に送出し、頻度ベクトル演算部５は全情報要素の特徴を受け付けると、情報要素の特徴に基づいて情報要素毎に頻度ベクトルを演算し、演算した情報要素の頻度ベクトルを関係性重み演算部６に送出し、関係性重み演算部６は情報要素の頻度ベクトルを受け付けると、全情報要素から任意の１つの情報要素を選び、選ばれた情報要素と当該情報要素以外の情報要素との間の関係の組み合わせ全てに対する関係性の重みを演算し、演算した関係性の重みを表示配置設定部８に送出し、表示配置設定部８は関係性の重みを受け付けると、関係性の重みを表示部１１の表示領域の大きさに合わせて正規化し、正規化した関係性の重みに基づいて表示部１１に表示する情報の表示配置を設定し、設定した表示配置を表示配置記憶部９に保存する。
【００３３】
図２は、情報要素記憶部３に保存される情報要素１２の構造の一例を示す図である。
【００３４】
図２に示すように、情報要素１２は、情報要素１２自身を示すＩＤ１３、情報要素１２を有する情報が保持する属性を表す属性値１４、情報の内容を表す情報内容１５のカテゴリーにより構成されている。
【００３５】
次に、情報を表示部１１に表示する際に情報可視化装置１が行う処理手順について図３に示すフローチャートを参照して説明する。
【００３６】
情報要素から特徴を抽出し（ステップＳ３０１）、抽出した特徴に基づいて情報要素の頻度ベクトルを演算し（ステップＳ３０２）、全情報要素から任意の１つの情報要素を選択し（ステップＳ３０３）、選択した情報要素と当該情報要素以外の情報要素との間の関係性の重みを演算し（ステップＳ３０４）、情報要素間の組み合わせ全てに対する関係性の重みを演算するまで（ステップＳ３０５でＮＯ）、ステップＳ３０３からステップＳ３０４の処理を繰り返す。
【００３７】
情報要素間の組み合わせ全てに対する関係性の重みを演算した場合（ステップＳ３０５でＹＥＳ）、情報要素間の関係性の重みに基づいて情報の表示配置を設定し（ステップＳ３０６）、設定した表示配置に基づいて情報を表示部に表示し（ステップＳ３０７）、処理手順を終了する。
【００３８】
次に、情報要素間の関係性の重みに基づいて情報の表示配置を設定する際に情報可視化装置が行う処理について具体例を挙げて説明する。
【００３９】
図４は、情報要素記憶部３に保存された複数の情報要素を示す図である。
【００４０】
図４に示すように、情報要素記憶部３には各情報と情報毎に情報要素であるＩＤ、属性値および属性値に対応するアイコンの種類が保存されている。ここで、属性値は個々の情報が保持する属性を示す値であり、例えば、「人」を表す属性には属性値「１」、「文書」を表す属性には属性値「２」、「映像」を表す属性には属性値「４」が与えられている。また、アイコンは属性値に対応するものであり、例えば、属性値「１」に対応するアイコンは「○」、属性値「２」に対応するアイコンは「△」、属性値「４」に対応するアイコンは「□」と設定されている。
【００４１】
なお、情報が保持する属性は１つとは限らず、複数の属性を保持することができ、複数の属性を保持する情報には、それぞれの属性を示す属性値が与えられる。
【００４２】
図５は、表示部１１に表示された図４に示す情報要素による相関関係の一例を示す図である。
【００４３】
図５に示すように、表示部１１にはＩＤ「０１」、「０２」、…、「１２」の情報を表すアイコンが表示されており、各情報は情報要素間の関係性の重みに基づいて設定された表示配置に基づいて配置されているため、ユーザは各情報の表示配置より情報の相関関係を確認することができる。
【００４４】
本発明に係わる情報可視化装置１では、表示部１１に表示された各情報は属性を保持し、ユーザは注目する属性に関する情報を表示部１１に表示させることができる。
【００４５】
次に、ユーザから指定された属性に関する情報を表示部１１に表示する際に情報可視化装置１が行う機能的な動作について説明する。
【００４６】
ユーザは注目する属性に関する情報を表示部１１に表示させる際に、入力部１０により属性値を指定し、指定された属性値は表示制御部２に送出され、表示制御部２は属性値を受け付けると、受け付けた属性値を保持する情報要素を情報要素記憶部３から取り出し、取り出した情報要素を有する情報の表示配置を表示配置記憶部９から取り出し、表示制御部２は表示配置に基づいてユーザから指定された属性に関する情報を表示部１１に表示する。
【００４７】
次に、ユーザから指定された属性に関する情報を表示する際に情報可視化装置１が行う処理手順について図６に示すフローチャートを参照して説明する。
【００４８】
入力部から属性値が指定された場合（ステップＳ６０１でＹＥＳ）、指定された属性値を保持する情報を表示（当該属性値以外の属性値を保持する情報を非表示）し（ステップＳ６０２）、処理手順を終了する。
【００４９】
次に、図４に示す情報要素を有する情報を具体例に挙げて、属性に関する情報を表示する処理について説明する。
【００５０】
図７は、図５に示す表示部１１の表示状況において属性値が指定された際に、表示部１１の表示例を示す図である。
【００５１】
図７（ａ）は、図５に示す表示部１１の表示状況において属性値「１」が指定された際に、表示部１１の表示例を示す図である。
【００５２】
図７（ａ）に示すように、表示部１１には属性値「１」を保持するＩＤ「０１」、ＩＤ「０４」、ＩＤ「０７」およびＩＤ「１０」の情報を表すアイコンが表示され、注目する属性に関する情報を表示することで、ユーザは「人」同士の間の相関関係のみを確認することができる。
【００５３】
また、属性値「２」を指定した際には、表示部１１には属性値「２」を保持するＩＤ「０２」、ＩＤ「０５」、ＩＤ「０８」およびＩＤ「１１」の情報を表すアイコンが表示され、ユーザは「文書」同士の間の相関関係のみを確認することができ、属性値「４」を指定した際には、表示部１１には属性値「４」を保持するＩＤ「０３」、ＩＤ「０６」、ＩＤ「０９」およびＩＤ「１２」の情報を表すアイコンが表示され、ユーザは「映像」同士の間の相関関係のみを確認することができる。
【００５４】
図７（ｂ）は、図５に示す表示部１１の表示状況において属性値「１」と属性値「２」とが指定された際に、表示部１１の表示例を示す図である。
【００５５】
図７（ｂ）に示すように、表示部１１には属性値「１」を保持するＩＤ「０１」、ＩＤ「０４」、ＩＤ「０７」およびＩＤ「１０」の情報を表すアイコンと、属性値「２」を保持するＩＤ「０２」、ＩＤ「０５」、ＩＤ「０８」およびＩＤ「１１」の情報を表すアイコンとが表示され、ユーザは「人」同士の間の相関関係と、「文書」同士の間の相関関係とを確認するとともに、「人」同士と「文書」同士との間の相関関係を確認することができる。
【００５６】
なお、図７（ｂ）に示すように、属性値「１」と属性値「２」とが指定された際に、属性値「１」を保持する情報を表すアイコンと、属性値「２」を保持する情報を表すアイコンとを同時に表示する構成を適用しても良いし、各々のアイコンの透過率を変更し、合成して表示する構成を適用しても良い。
【００５７】
また、属性値として「１」、「２」、「４」、「８」、「１６」、「３２」、「６４」、「１２８」、…と与えることで、複数の属性値を指定する場合、例えば、属性値「１」と属性値「２」とを指定する際には、属性値「３」（＝１＋２）を表示制御部２に送出することで、属性値「１」を保持する情報を表すアイコンと、属性値「２」を保持する情報を表すアイコンとを表示させ、属性値「１」と属性値「４」と属性値「１６」と属性値「６４」とを指定する際には、属性値「９５」（＝１＋４＋１６＋６４）を表示制御部２に送出することで、属性値「１」を保持する情報を表すアイコンと、属性値「４」を保持する情報を表すアイコンと、属性値「１６」を保持する情報を表すアイコンと、属性値「６４」を保持する情報を表すアイコンとを表示させる。
【００５８】
本発明に係わる情報可視化装置１では、ユーザは表示部１１に表示された情報を入力部１０により操作することができる。
【００５９】
次に、ユーザが表示部１１に表示された情報を入力部１０より操作した際に情報可視化装置１が行う機能的な動作について説明する。
【００６０】
ユーザは表示部１１に表示された情報を入力部１０により操作すると、入力部１０から情報の操作量（情報を操作した量）が表示制御部２に送出され、表示制御部２は操作量を受け付けると、受け付けた操作量を表示配置設定部８に送出し、表示配置設定部８は操作量を受け付けると、入力部１０により操作された情報の操作後の表示配置を設定するとともに、関係性重み記憶部７から入力部１０により操作された情報が有する情報要素と当該情報要素以外の情報要素との間の関係性の重みを取り出し、取り出した関係性の重みに基づいて操作後の情報の表示配置を設定し、設定した表示配置を表示配置記憶部９に保存し、表示制御部２は表示配置記憶部９に保存した表示配置に基づき、操作後の情報を表示部１１に表示する。
【００６１】
次に、ユーザが入力部１０により情報を操作した際に情報可視化装置１が行う処理手順について図８に示すフローチャートを参照して説明する。
【００６２】
入力部により情報の操作が行われた場合（ステップＳ８０１でＹＥＳ）、操作された情報の操作後の表示配置を設定し（ステップＳ８０２）、操作された情報が有する情報要素と当該情報要素以外の情報要素との間の関係性の重みに基づいて操作後の情報の表示配置を設定し（ステップＳ８０３）、設定した表示配置に基づいて操作後の情報を表示し（ステップＳ８０４）、処理手順を終了する。
【００６３】
次に、図４に示す情報要素を有する情報を具体例に挙げて、情報が操作された際に、操作後の情報を表示する処理について説明する。
【００６４】
図９は、図５に示す表示部１１の表示状況において、情報が操作された際に、操作後の表示部１１の表示例を示す図である。
【００６５】
図９（ａ）は、図５に示す表示部１１の表示状況において、ＩＤ「０１」の情報を表すアイコンが操作された際の表示部１１の表示例を示す図である。
【００６６】
図９（ａ）に示すように、ＩＤ「０１」の情報を表すアイコンが図示矢印方向に操作され、ＩＤ「０１」の情報を表すアイコンが移動している。
【００６７】
そして、ＩＤ「０１」の情報を表すアイコンが移動することで、表示位置が変更すると、ＩＤ「０１」の情報が有する情報要素と、ＩＤ「０１」以外の情報（ＩＤ「０２」、ＩＤ「０３」、…、ＩＤ「１２」）が有する情報要素との間の関係性の重みに基づき、ＩＤ「０１」以外の情報を表すアイコンが移動し、表示配置が変更する。
【００６８】
図９（ｂ）は、ＩＤ「０１」の情報を表すアイコンが操作された後の表示部１１の表示例を示す図である。
【００６９】
図９（ｂ）に示すように、ＩＤ「０４」の情報を表すアイコン、ＩＤ「０７」の情報を表すアイコンおよびＩＤ「１０」の情報を表すアイコンが各々図示矢印方向に移動されている。
【００７０】
ここで、アイコンの移動はＩＤ「０１」の情報が有する情報要素と、ＩＤ「０１」以外の情報が有する情報要素との間の関係性の重みによるものなので、関係性の重みが大きい場合は移動が大きくなり、関係性の重みが小さい場合は移動が小さくなる。
【００７１】
つまり、ＩＤ「０４」の情報、ＩＤ「０７」の情報およびＩＤ「１０」の情報は、ＩＤ「０１」の情報と同様に属性値「１」を保持しているので、ＩＤ「０１」の情報が有する情報要素との関係性の重みが大きく、ＩＤ「０４」の情報を表すアイコン、ＩＤ「０７」の情報を表すアイコンおよびＩＤ「１０」の情報を表すアイコンの移動は大きくなる。
【００７２】
また、ＩＤ「０１」の情報が有する属性値「１」以外の属性値を保持する情報でも、ＩＤ「０１」の情報が有する情報要素との関係性の重みが大きければ、情報を表すアイコンの移動は大きくなる。例えば、属性値「２」を保持するＩＤ「０５」の情報を表すアイコンの移動は大きく、属性値「３」を保持するＩＤ「０６」の情報を表すアイコンおよびＩＤ「１２」の情報を表すアイコンの移動は大きくなる。
【００７３】
ただし、ＩＤ「０２」の情報を表すアイコン、ＩＤ「０３」の情報を表すアイコン、ＩＤ「０８」の情報を表すアイコン、ＩＤ「０９」の情報を表すアイコンおよびＩＤ「１１」の情報を表すアイコンはほとんど移動していないので、ＩＤ「０１」の情報が有する情報要素との関係性の重みが小さいことを確認できる。
【００７４】
従って、表示部１１に表示された情報を操作することで、情報の新たな相関関係を可視的に確認することができるとともに、情報要素間の関係性の重みの大きさを可視的に確認することできる。
【００７５】
なお、上記実施例で説明した情報可視化装置１と同様の処理を行うことが可能な情報可視化プログラムを、一般的なＰＣ（Ｐｅｒｓｏｎａｌ  Ｃｏｍｐｕｔｅｒ）等の汎用電子計算機にインストールする構成でも適用可能である。
【００７６】
【発明の効果】
以上説明したように本発明によれば、個人の関心または問題意識に応じて着目すべき対象のみを選択的に抽出し、抽出した情報間の関係を参照または整理することが可能になるとともに、情報間の関係の深さを可視的に確認することが可能になるという効果を奏する。
【図面の簡単な説明】
【図１】本発明に係わる情報可視化装置１の機能的な構成の一例を示すブロック図である。
【図２】情報要素記憶部３に保存される情報要素１２の構造の一例を示す図である。
【図３】情報を表示部１１に表示する際に情報可視化装置１が行う処理手順を示すフローチャートである。
【図４】情報要素記憶部３に保存された複数の情報要素を示す図である。
【図５】表示部１１に表示された図４に示す情報要素による相関関係の一例を示す図である。
【図６】ユーザから指定された属性に関する情報を表示する際に情報可視化装置１が行う処理手順を示すフローチャートである。
【図７】図５に示す表示部１１の表示状況において属性値が指定された際に、表示部１１の表示例を示す図である。
【図８】ユーザが入力部１０により情報を操作した際に情報可視化装置１が行う処理手順を示すフローチャートである。
【図９】図５に示す表示部１１の表示状況において、情報が操作された際に、操作後の表示部１１の表示例を示す図である。
【符号の説明】
１    情報可視化装置
２    表示制御部
３    情報要素記憶部
４    特徴抽出部
５    頻度ベクトル演算部
６    関係性重み演算部
７    関係性重み記憶部
８    表示配置設定部
９    表示配置記憶部
１０    入力部
１１    表示部
１２    情報要素
１３    ＩＤ
１４    属性値
１５    情報内容
【図１】
2004246709.tif 000003
【図２】
2004246709.tif 000004
【図３】
2004246709.tif 000005
【図４】
2004246709.tif 000006
【図５】
2004246709.tif 000007
【図６】
2004246709.tif 000008
【図７】
2004246709.tif 000009
【図８】
2004246709.tif 000010
【図９】
2004246709.tif 000011